【手続補正書】
【提出日】平成17年12月8日(2005.12.8)
【手続補正１】
【補正対象書類名】特許請求の範囲
【補正対象項目名】全文
【補正方法】変更
【補正の内容】
【特許請求の範囲】
【請求項１】
画像投影器のためのイメージレンダリング装置であって、
当該イメージレンダリング装置に画像を転送可能に構成される第１の交換可能なデータ転送装置と当該イメージレンダリング装置に画像を転送可能に構成される第２の交換可能なデータ転送装置とを選択的に受け入れるように構成された画像受け器を備える本体と、
当該イメージレンダリング装置を前記画像投影器と物理的に接続するように構成された投影器用コネクタと、
表示のため画像を前記画像受け器から前記画像投影器に自動的に送るように構成されたプロセッサとを備える、イメージレンダリング装置。
【請求項２】
前記本体が、前記画像投影器内の取付スロット内に少なくとも部分的に選択的に挿入されるように構成されている、請求項１記載のイメージレンダリング装置。
【請求項３】
前記画像受け器が無線の構内通信網用カードを受け入れるように構成されている、請求項１記載のイメージレンダリング装置。
【請求項４】
前記画像受け器が有線ネットワークカードを受け入れるように構成されている、請求項１記載のイメージレンダリング装置。
【請求項５】
前記画像受け器がプレゼンテーション用カードを受け入れるように構成されている、請求項１記載のイメージレンダリング装置。
【請求項６】
前記画像受け器が大規模な記憶装置を受け入れるように構成されている、請求項１記載のイメージレンダリング装置。
【請求項７】
前記画像受け器がメモリカードを受け入れるように構成されている、請求項６記載のイメージレンダリング装置。
【請求項８】
前記プロセッサが前記画像を解凍するように構成されている、請求項１記載のイメージレンダリング装置。
【請求項９】
少なくとも１つの周辺装置を当該イメージレンダリング装置に操作可能に接続しうるように構成された周辺装置用コネクタをさらに備えており、
当該周辺装置用コネクタが前記周辺装置から当該イメージレンダリング装置に転送されるように、または当該イメージレンダリング装置から前記周辺装置に転送されるように構成されている、請求項１記載のイメージレンダリング装置。
【請求項１０】
前記少なくとも１つの周辺装置がデジタルカメラである、請求項９記載のイメージレンダリング装置。
【請求項１１】
前記少なくとも１つの周辺装置がスキャナである、請求項９記載のイメージレンダリング装置。
【請求項１２】
前記少なくとも１つの周辺装置がプリンタである、請求項９記載のイメージレンダリング装置。
【請求項１３】
前記投影器用コネクタが、当該イメージレンダリング装置を投影器に直接接続するように構成されたビデオプラグである、請求項１記載のイメージレンダリング装置。
【請求項１４】
画像投影器のためのポータブルイメージレンダリング装置であって、
当該イメージレンダリング装置を無線ネットワークに接続するとともにさらに当該無線ネットワークに接続される複数のコンピュータのうちのいずれか１つから画像を受け取るように構成された無線受け器と、
当該イメージレンダリング装置を画像投影器に物理的に接続するように構成された投影器用コネクタと、
表示のため前記画像を前記無線受け器から前記画像投影器に自動的に送るように構成されたプロセッサとを備える、ポータブルイメージレンダリング装置。
【請求項１５】
前記無線受け器が無線ネットワークカードを受け入れるように構成されている、請求項１４記載のポータブルイメージレンダリング装置。
【請求項１６】
前記無線受け器が一体化される無線ネットワークカードを備える、請求項１４記載のポータブルイメージレンダリング装置。
【請求項１７】
前記無線受け器を組み込んだ画像受け器をさらに備えており、
当該画像受け器が第１の交換可能なデータ転送装置と第２の異なる交換可能なデータ転送装置とを選択的に受け入れるように構成されている、請求項１４記載のポータブルイメージレンダリング装置。
【請求項１８】
少なくとも１つの周辺装置を当該イメージレンダリング装置に操作可能に接続しうるように構成された周辺装置用コネクタをさらに備えており、
当該周辺装置用コネクタが、画像を受け取って当該画像を前記少なくとも１つの周辺装置から当該イメージレンダリング装置に転送する、または当該イメージレンダリング装置から前記少なくとも１つの周辺装置に転送するようにさらに構成されている、請求項１４記載のポータブルイメージレンダリング装置。
【請求項１９】
前記少なくとも１つの周辺装置がデジタルカメラである、請求項１８記載のポータブルイメージレンダリング装置。
【請求項２０】
前記少なくとも１つの周辺装置がスキャナである、請求項１８記載のポータブルイメージレンダリング装置。
【請求項２１】
前記少なくとも１つの周辺装置がプリンタである、請求項１８記載のポータブルイメージレンダリング装置。
【請求項２２】
前記無線受け器が画像要素を受け入れるように構成されており、当該イメージレンダリング装置が前記画像要素を投影可能な画像にレンダリングするように構成されている、請求項１４記載のポータブルイメージレンダリング装置。
【請求項２３】
前記無線受け器が圧縮された画像を受け入れるように構成されており、当該イメージレンダリング装置が前記画像を投影可能な画像に解凍するように構成されている、請求項１４記載のポータブルイメージレンダリング装置。
【請求項２４】
画像投影器のためのポータブルイメージレンダリング装置であって、
少なくとも１つの周辺装置を当該イメージレンダリング装置に操作可能に接続しうるように構成され、さらに画像を当該少なくとも１つの周辺装置から受け入れるように構成される、周辺装置用コネクタと、
当該イメージレンダリング装置を前記画像投影器に物理的に接続するように構成された投影器用コネクタと、
表示のため前記画像を前記少なくとも１つの周辺装置から前記画像投影器に自動的に送るように構成されたプロセッサとを備えた、ポータブルイメージレンダリング装置。
【請求項２５】
前記少なくとも１つの周辺装置がカメラである、請求項２４記載のポータブルイメージレンダリング装置。
【請求項２６】
前記少なくとも１つの周辺装置がスキャナである、請求項２４記載のポータブルイメージレンダリング装置。
【請求項２７】
当該イメージレンダリング装置が前記画像投影器によって表示された画像を前記少なくとも１つの周辺装置に転送するように構成された、請求項２４記載のポータブルイメージレンダリング装置。
【請求項２８】
前記少なくとも１つの周辺装置がプリンタである、請求項２７記載のポータブルイメージレンダリング装置。
【請求項２９】
第１の交換可能なデータ転送装置と第２の交換可能なデータ転送装置とを選択的に受け入れるように構成された画像受け器をさらに備えており、
各選択可能なデータ転送装置が当該イメージレンダリング装置に画像を転送できるように構成されている、請求項２４記載のポータブルイメージレンダリング装置。
【請求項３０】
画像を表示するように構成された画像投影器と、
前記画像投影器に物理的に接続されるように構成された本体と、独立のソースから画像を受け取るように構成された画像ソース受け器とを有する、ポータブルイメージレンダリング装置とを備えており、
当該イメージレンダリング装置が、前記独立のソースからの画像を自動的にレンダリングして当該画像を前記画像投影器に転送するようにさらに構成される、画像表示システム。
【請求項３１】
前記画像投影器が、前記イメージレンダリング装置の本体を少なくとも部分的に受け入れるように構成されたスロットを備える、請求項３０記載の画像表示システム。
【請求項３２】
前記独立のソースが、無線ネットワークを通じて前記イメージレンダリング装置に接続される遠隔コンピュータである、請求項３０記載の画像表示システム。
【請求項３３】
前記独立のソースが交換可能なデータ転送装置である、請求項３０記載の画像表示システム。
【請求項３４】
前記画像ソース受け器が、交換可能なデータ転送装置を受け入れるスロットである、請求項３１記載の画像表示システム。
【請求項３５】
前記交換可能なデータ転送装置がネットワークカードである、請求項３４記載の画像表示システム。
【請求項３６】
前記イメージレンダリング装置が、少なくとも１つの周辺装置を当該イメージレンダリング装置と操作可能に接続しうるように構成された周辺装置用コネクタをさらに備えており、
当該周辺装置用コネクタが、前記周辺装置から画像を受け取って当該画像を前記画像投影器に転送する、または前記画像投影器から画像を受け取って当該画像を前記周辺装置に転送するようにさらに構成されている、請求項３０記載の画像表示システム。
【請求項３７】
画像投影器への画像の伝送方式を変換するためのイメージレンダリング装置であって、
当該画像投影器へ着脱可能に取り付けられるよう構成された本体と、
前記イメージレンダリング装置と独立のソースとの間で通信可能な無線ネットワークを確立するよう構成されたデータ転送装置を着脱可能に受け入れる、前記本体に設けられたスロットとを備えており、
前記データ転送装置を前記スロットに受け入れることで、前記独立のソースを前記画像投影器に物理的に接続せずに画像転送が可能となる、イメージレンダリング装置。
【請求項３８】
前記データ転送装置が無線ネットワークカードである、請求項３７記載のイメージレンダリング装置。
【請求項３９】
前記データ転送装置が、前記独立のソースの計算プラットフォームに拘わらず前記独立のソースから通信を可能とするよう構成された、請求項３７記載のイメージレンダリング